(57)【要約】【課題】  ディスプレイにより表示された情報に係る物品の位置を容易に知ることができ、且つ、充電中においても情報の表示が可能である物品陳列装置を提供すること。【解決手段】  本発明の物品陳列装置１０は、複数の物品を陳列する陳列棚１４と、各種情報を表示することのできるディスプレイ２６と、ディスプレイを支持し、駆動機構２８，４２を内蔵するスライダ１８，２４とを備えている。ディスプレイと駆動機構への電極供給は充電式バッテリ３６，５２により行われる。基本位置ではバッテリと充電手段７８，８４が接続され、充電が行われる。また、ディスプレイが基本位置にあるとき、基本位置近傍の物品の情報を表示することができる。【選択図】  図１
2006109995.tif 000002
【特許請求の範囲】
【請求項１】
複数の物品を陳列する陳列棚と、
各種情報を表示することのできる表示手段と、
前記表示手段を支持すると共に、前記陳列棚に対して移動可能となっている支持手段と、
前記支持手段を移動させるための駆動手段と、
前記表示手段による表示を行うための電力を供給する第１の充電式バッテリと、
前記駆動手段を駆動するための電力を供給する第２の充電式バッテリと、
前記陳列棚の所定の基本位置に前記表示手段が配置された状態において、前記第１の充電式バッテリ及び前記第２の充電式バッテリを充電する充電手段と、
前記駆動手段の駆動を制御して前記表示手段を移動させる駆動制御手段と
情報を表示すべく前記表示手段を制御する表示制御手段と
を備え、
前記表示手段が前記基本位置に配置された状態において、前記表示制御手段は、所要の情報を表示するよう前記表示手段を制御するようになっている、物品陳列装置。
【請求項２】
前記複数の物品のそれぞれに識別子が付されている場合において、
前記表示装置に設けられ、前記識別子を読み取る識別子読み取り手段であり、該識別子読み取り手段から所定範囲内にある物品の識別子を読み取ることができるようになっている前記識別子読み取り手段と、
複数の物品のうち少なくとも一つの特定物品についての情報を記憶した情報記憶手段と
を備え、
前記表示制御手段は、前記識別子読み取り手段が前記特定物品の識別子を読み取った場合に、前記特定物品の情報を前記情報記憶手段から検索して抽出し、前記表示手段に表示させるよう構成されている、請求項１に記載の物品陳列装置。
【請求項３】
前記識別子が前記物品に付与されたＲＦＩＤタグに登録されており、前記識別子読み取り手段がＲＦＩＤタグ用リーダである、請求項２に記載の物品陳列装置。
【請求項４】
前記駆動制御手段は、所定時間の経過後に前記表示手段が前記基本位置に配置されるよう、前記駆動手段の駆動を制御するよう構成されている、請求項１〜３のいずれか１項に記載の物品陳列装置。
【請求項５】
前記表示手段がパネル型ディスプレイである、請求項１〜４のいずれか１項に記載の物品陳列装置。
【請求項６】
前記表示手段が前記陳列棚から取り外し可能となっている、請求項１〜５のいずれか１項に記載の物品陳列装置。
【発明の詳細な説明】
【技術分野】
【０００１】
本発明は、各種情報を表示する表示手段を備えた物品陳列装置に関する。
【背景技術】
【０００２】
従来、例えば下記の特許文献１に開示されているような物品陳列装置が知られている。この装置は、ビデオカセットやＤＶＤ（デジタル・ビデオ・ディスク）等のソフト記録媒体を陳列、展示するためのものであり、陳列されたソフト記録媒体の販売促進を図るため、ソフト内容を紹介する映像を表示するディスプレイのような表示手段を備えている。
【０００３】
また、ラック上の物品の情報を示すものとしては、特許文献２に開示されているような装置もある。これは、ピッキング作業を容易化することを目的としたもので、情報表示器具がピッキングすべき物品の近傍位置まで自動的に移動し、そこで、物品名及びピッキング個数等の情報を表示するようになっている。また、特許文献２に記載の装置では、情報表示器具に充電式バッテリが搭載されており、このバッテリによって情報表示器具は情報表示及び移動をすることが可能となっている。
【特許文献１】特開２００３−２９０００１号公報
【特許文献２】特表平１０−５０８２７５号公報
【発明の開示】
【発明が解決しようとする課題】
【０００４】
上述した特許文献１に開示の物品陳列装置は、ディスプレイが陳列棚に固定されているため、どのソフト記録媒体の情報を表示しているのか分かりにくく、需要者がそのソフト記録媒体を見つけられないという不具合が発生するおそれがある。
【０００５】
これに対して、特許文献２に開示の装置は、情報を表示させたい物品の近傍に情報表示器具を移動させるというものであるので、前記不具合はない。しかし、情報表示器具に搭載される充電式バッテリに充電を行う場合、充電器が設けられたベースステーションに情報表示機器を移動させるが、ベースステーションはラックとは別個の位置に設けられており、充電中、情報表示を行うことができないという問題点がある。
【０００６】
そこで、本発明の目的は、表示手段により表示された情報に係る物品の位置を容易に知ることができ、且つ、充電中においても情報の表示が可能である物品陳列装置を提供することにある。
【課題を解決するための手段】
【０００７】
上記目的を達成するために、本発明による物品陳列装置は、複数の物品を陳列する陳列棚と、各種情報を表示することのできる表示手段と、表示手段を支持すると共に、陳列棚に対して移動可能となっている支持手段と、支持手段を移動させるための駆動手段と、表示手段による表示を行うための電力を供給する第１の充電式バッテリと、駆動手段を駆動するための電力を供給する第２の充電式バッテリと、陳列棚の所定の基本位置に表示手段が配置された状態において、第１の充電式バッテリ及び第２の充電式バッテリを充電する充電手段と、駆動手段の駆動を制御して表示手段を移動させる駆動制御手段、情報を表示すべく表示手段を制御する表示制御手段とを備え、表示手段が基本位置に配置された状態において、表示制御手段は、所要の情報を表示するよう表示手段を制御するようになっていることを特徴としている。
【０００８】
この構成においては、充電を行っている際も、所要の情報を表示させることができる。特に、充電を行うことのできる基本位置において、その近傍の物品の情報を表示手段に表示させることで、表示手段の近くに情報に係る物品が存在することとなる。
【０００９】
また、複数の物品のそれぞれに識別子が付されている場合において、表示装置に設けられ、前記識別子を読み取る識別子読み取り手段であって、該識別子読み取り手段から所定範囲内にある物品の識別子を読み取ることができるようになっている前記識別子読み取り手段と、複数の物品のうち少なくとも一つの特定物品についての情報を記憶した情報記憶手段とを設け、識別子読み取り手段が特定物品の識別子を読み取った場合に、特定物品の情報を情報記憶手段から検索して抽出し、表示手段に表示させるよう、表示制御手段を構成することが有効である。この場合、識別子読み取り手段の所定範囲内に特定物品が位置しているときに、特定物品の情報が表示手段により自動的に表示されることとなる。従って、充電を行う基本位置の近傍に特定物品を配置しておけば、充電中、表示手段に特定物品の情報を表示することができる。
【００１０】
また、物品の識別子をＲＦＩＤ（Radio Frequency IDentification）タグに登録し、識別子読み取り手段をＲＦＩＤタグ用リーダとすることが好ましい。非接触で識別子の読み取りが可能となるからである。
【００１１】
また、駆動制御手段は、所定時間の経過後に表示手段が基本位置に配置されるよう、駆動手段の駆動を制御するよう構成されていることが好ましい。これにより、第１及び第２の充電式バッテリへの充電が定期的に行われる。また、スーパーマーケット等では、基本位置で商品提供者が販売増加を望む特定商品の情報を表示手段に表示することで効率よく特定商品の宣伝を行うことができる。
【００１２】
更に、表示手段としては、物品の陳列の妨げとならないよう、小型のパネル型ディスプレイが好ましい。
【００１３】
また、表示手段は陳列棚から取り外し可能であることが好適である。これにより、表示手段を陳列棚から取り外し、任意の場所で情報を閲覧するという利用法を採ることが可能となる。
【発明の効果】
【００１４】
上述したように、本発明によれば、第１及び第２の充電式バッテリに対する充電が行われている間、その近傍にある物品の情報を表示することが可能となる。従って、その情報を見ている者は容易に特定物品を探し出すことが可能となる。その結果として、スーパーマーケット等では、商品提供者が販売増加を望む特定商品の近傍に、充電場所を配置することにより、効率よく特定商品の宣伝を行うことができる。
【００１５】
また、本発明によれば、定期的に充電が開始されるため、人が充電作業を行う手間が不要となる。
【発明を実施するための最良の形態】
【００１６】
以下、図面を参照して本発明の好適な実施形態について詳細に説明する。なお、全図を通し、同一又は相当部分には同一符号を付すこととする。
【００１７】
図１は、本発明による物品陳列装置の一実施形態を示している。図示実施形態に係る物品陳列装置１０は、例えばスーパーマーケットのような小売り店舗において商品（物品）を陳列、展示するために用いられるものである。
【００１８】
図示するように、この物品陳列装置１０は、複数段の棚板１２を備える陳列棚１４から構成されている。最上段の棚板１２Ａの前縁と、その下方にある棚板１２Ｂの前縁、更に棚板１２Ａと棚板１２Ｂとの中間（一般的な需要者の目線程度の高さ位置）における棚板１２Ｃの前縁とには、それぞれ、棚板１２Ａ，１２Ｂ，１２Ｃの長手方向に沿って延びる横レール１６Ａ，１６Ｂ，１６Ｃが設けられている。各横レール１６Ａ，１６Ｂ，１６Ｃには、少なくとも１個のスライダ１８Ａ，１８Ｂ，１８Ｃが摺動可能に取り付けられている。スライダ１８Ａ，１８Ｂ，１８Ｃには、更に、棚板１２Ａ，１２Ｂ，１２Ｃから前方に延びる支持ロッド２０Ａ，２０Ｂ，２０Ｃを介して、縦レール２２が取り付けられている。各縦レール２２にもスライダ２４が摺動可能に取り付けられており、このスライダ２４に表示手段である液晶ディスプレイ２６が脱着可能に取り付けられている。
【００１９】
ここで、特許請求の範囲に記載の「支持手段」は、本実施形態では、レール１６Ａ，１６Ｂ，１６Ｃ，２２、支持ロッド２０Ａ，２０Ｂ，２０Ｃ及びスライダ１８Ａ，１８Ｂ，１８Ｃ，２４に相当する。
【００２０】
スライダ１８Ａ，１８Ｂは、単に、横レール１６Ａ，１６Ｂに移動自在に支持されている。一方、スライダ１８Ｃ及びスライダ２４には、電動モータを駆動源とした駆動機構（駆動手段）が設けられ、駆動源の駆動を制御することにより、レール１６Ｃ，２２に沿ってスライダ１８Ｃ，２４を自走させることが可能となっている。駆動機構としては種々の型式が考えられるが、図２にその一例を示す。図２は、スライダ１８Ｃ内に設けられた駆動機構２８を示しており、この駆動機構２８は、レール１６Ｃに設けられたラック３０と、スライダ１８Ｃに搭載された電動モータ３２と、電動モータ３２により回転駆動されラック３０と噛合するピニオン３４とから構成されている。また、スライダ１８Ｃ内には、電動モータ３２に対して電力を供給するために、充電式のバッテリ（第２の充電式バッテリ）３６と、電動モータ３２を駆動するドライバ３８とが配置されている。このドライバ３８は、後述の制御装置４０と協働して、特許請求の範囲に記載の「駆動制御手段」を構成するものである。スライダ２４についても、スライダ１８Ｃにおけるものと同様な駆動機構（駆動手段）４２が設けられている。すなわち、この駆動機構４２は、レール２２に設けられたラック４４と、スライダ２４に搭載された電動モータ４６と、電動モータ４６により回転駆動されラック４４と噛合するピニオン４８とからなる。
【００２１】
スライダ２４に設置されている液晶ディスプレイ２６は、商品の陳列や取出しの妨げにならないよう、７〜９インチ程度の小型のものがよい。かかる観点からは、表示手段は液晶ディスプレイ２６に限らず、ＥＬディスプレイのような他のパネル型ディスプレイも有効に用いられ得る。
【００２２】
液晶ディスプレイ２６のケース内には、図２に示すように、スライダ２４における駆動機構４２の電動モータ４６を駆動するドライバ５０が設置されている。このドライバ５０も、後述の制御装置４０と協働して、特許請求の範囲に記載の「駆動制御手段」を構成する。
【００２３】
また、液晶ディスプレイ２６のケース内には、液晶ディスプレイ２６に対して電力を供給する充電式バッテリ（第１の充電式バッテリ）５２と、液晶ディスプレイ２６を駆動するためのドライバ５４とが配置されている。充電式バッテリ５２は、スライダ２４に設けられた駆動機構４２の電動モータ４６にも電力を供給するようになっており、特許請求の範囲にいう「第２の充電式バッテリ」としても機能する。ドライバ５４は、後述の制御装置４０と協働して、特許請求の範囲に記載の「表示制御手段」を構成する。
【００２４】
液晶ディスプレイ２６は、商品広告や商品の属性情報（例えば、価格、製造者（生産者）、生産地、原材料、使用方法、調理例、特徴等）等の各種情報を表示するようになっている。このような各種商品情報は、情報記憶装置（情報記憶手段）５６に予め記憶されている。
【００２５】
情報記憶装置５６としてはハードディスク装置が一般的であるが、ＣＤ（コンパクト・ディスク）、ＭＯ（光磁気ディスク）、ＤＶＤ、或いは、マイクロコンピュータ等の制御装置４０に内蔵されているＲＡＭ等から構成されるものとしてもよい。
【００２６】
情報記憶装置５６に記憶された商品情報は、制御装置４０により所望のものが抽出される。情報記憶装置５６から制御装置４０により抽出された商品情報は、制御装置４０及びドライバ５４を介して液晶ディスプレイ２６によって表示されることとなる。
【００２７】
制御装置４０は、図３に明示するように、ＣＰＵ５８と、ＣＰＵ５８が実行するプログラムデータ等を格納したＲＯＭ６０と、ＣＰＵ５８が演算処理するデータ等を一時的に格納するＲＡＭ６２とから基本的に構成されている。
【００２８】
液晶ディスプレイ２６には、更に、陳列棚１４に置かれる商品の識別子を読み取るための識別子読み取り手段が搭載されている。本実施形態では、図３に示すように、各商品Ｐａ，ＰｂにＲＦＩＤタグ６４を付し、それぞれに商品Ｐａ，Ｐｂの識別子を登録している。その上で、識別子読み取り手段として、ＲＦＩＤタグ用リーダ６６を用いている。ＲＦＩＤタグ用リーダ６６は、ＲＦＩＤタグ６４から発せられる識別子に対応する電波信号（以降、識別子信号）を受信することができ、商品（すなわちＲＦＩＤタグ６４）がリーダ６６の受信範囲内（リーダ６６から所定範囲内）に置かれると、非接触で識別子を読み取ることができるようになっている。ＲＦＩＤタグ用リーダ６６の受信範囲は比較的狭く設定されることが好ましい。例えばリーダ６６から半径約３０ｃｍ程度の範囲とすれば、液晶ディスプレイ２６の近傍に位置する商品の識別子のみを読み取るため、液晶ディスプレイ２６の周囲を探せば、容易に液晶ディスプレイ２６に表示されている商品を見つけだすことが可能となり、販売効果が向上する。
【００２９】
ＲＦＩＤタグ用リーダ６６により商品の識別子が読み取られると、制御装置４０はリーダ６６からその情報を受け、前述したように必要な商品情報を情報記憶装置５６から検索、抽出し、液晶ディスプレイ２６にその商品情報を表示させる。
【００３０】
本実施形態では、制御装置４０と液晶ディスプレイ２６のドライバ５４との間、制御装置４０とＲＦＩＤタグ用リーダ６６との間、及び、制御装置４０とスライダ１８Ｃ，２４内の駆動機構２８，４２のドライバ３８，５０との間における送受信は電波による無線通信、いわゆる無線ＬＡＮ（Local Area Network）によって行われるようになっている。すなわち、制御装置４０に有線で接続された少なくとも１台の親局送受信装置６８を備え、親局送受信装置６８に対して電波信号を送受信する子局送受信装置７０，７２，７４，７６が液晶ディスプレイ２６、ＲＦＩＤタグ用リーダ６６及びスライダ１８Ｃのそれぞれに搭載されている（図２及び図３参照）。なお、子局送受信装置７０は液晶ディスプレイ２６のドライバ５４に接続され、子局送受信装置７２はスライダ２４における駆動機構４２のドライバ５０に、子局送受信装置７４はＲＦＩＤタグ用リーダ６６、子局送受信装置７６はスライダ１８Ｃにおける駆動機構２８のドライバ３８に、それぞれ接続されている。なお、液晶ディスプレイ２６に係る子局送受信装置７０及び駆動機構４２，２８に係る子局送受信装置７２，７６は受信が主機能である。一方、リーダ６６に係る子局送受信装置７４は送信が主機能である。親局送受信装置６８は、広範囲の送受信が可能なように、店舗の天井に取り付けることが好ましい。
【００３１】
更に、陳列棚の棚板１６Ｃの所定位置には、充電出力端子７８が設けられている。この充電出力端子７８は、図示しない充電器の出力部としての電気接点である。充電器の電源は店舗のコンセントから取ることとなる。
【００３２】
図２に示すように、スライダ１８Ｃが充電出力端子７８上に配置された状態では、スライダ１８Ｃに設けられた充電入力端子８０が棚板１６Ｃの充電出力端子７８と電気的に接続される。スライダ１８Ｃの充電入力端子８０は、スライダ１８Ｃ内における充電式バッテリ３６に電気的に接続されているので、かかる状態ではバッテリ３６への充電が可能となる。
【００３３】
また、充電入力端子８０からは導電線８２が支持ロッド２０Ｃに沿って延び、導電線８２の他端は縦レール２２に設けられた充電出力端子８４に接続されている。スライダ２４が充電出力端子８４上に配置された状態では、スライダ２４に設けられた充電入力端子８６が充電出力端子８４と接する。スライダ２４の充電入力端子８６は、充電式バッテリ３６に電気的に通じていると共に、液晶ディスプレイ２６にも直接接続されている。従って、スライダ１８Ｃの充電入力端子８０が充電出力端子７８と接続し、且つ、スライダ２４の充電入力端子８６が充電出力端子８４と接続した場合には、バッテリ３６，５２への充電が可能となると共に、液晶ディスプレイ２６は充電器からの電力によって情報表示を行うことができる。
【００３４】
ここで、充電出力端子７８，８４及び充電入力端子８０，８６は特許請求の範囲に記載の「充電手段」に相当する。
【００３５】
続いて、上記構成の物品陳列装置１０の作用について説明する。
【００３６】
まず、物品陳列装置１０の基本状態は、図２に示すように、スライダ１８Ｃが充電出力端子７８上に配置され且つスライダ２４が充電出力端子８４上に配置された状態である。この位置は、図１の二点鎖線で示す位置であり、これを「基本位置」と称する。この位置状態においては、上述したように、充電式バッテリ３６，５２は充電器と電気的に接続され、充電が行われると共に、液晶ディスプレイ２６は充電器からの電力によって情報表示を行う。
【００３７】
なお、本実施形態では、図３に示すように、所定の基本位置にある液晶ディスプレイ２６の近傍（ＲＦＩＤタグ用リーダ６６の受信範囲内）には、店舗側の商品提供者が販売増加を望む特定商品Ｐａが配置されている。また、この基本位置から離れた位置（ＲＦＩＤタグ用リーダ６６の受信範囲外）に、一定時間だけ広告したい商品Ｐｂが配置されているものとする。更に、これらの特定商品Ｐａ、商品Ｐｂについての販売促進用情報が情報記憶装置５６に記憶されているものとする。
【００３８】
かかる前提の下、液晶ディスプレイ２６が基本位置にある場合、ＲＦＩＤタグ用リーダ６６が複数のＲＦＩＤタグ６４からの識別子信号群を受信し、その識別子信号群は、リーダ６６に係る子局送受信装置７４から親局送受信装置６８に送信され、制御装置４０に入力される。この識別子信号群には、特定商品Ｐａの識別子信号が含まれているため、識別子信号群を受け取った制御装置４０は、特定商品Ｐａの識別子信号を認識し、特定商品Ｐａの販売促進用情報（所要の情報）を情報記憶装置５６から検索、抽出する。そして、抽出された情報は、親局送受信装置６８から液晶ディスプレイ２６に係る子局送受信装置７０に送られ、液晶ディスプレイ２６でその情報が表示されることとなる。
【００３９】
表示された販売促進用情報に係る特定商品Ｐａは、その情報を表示している液晶ディスプレイ２６の近傍にある。従って、需要者が販売促進用情報を見てその特定商品Ｐａの購入を希望したならば、情報を流している液晶ディスプレイ２６の周囲を探せば、容易にその特定商品Ｐａを見つけだすことが可能となり、販売効果が向上する。
【００４０】
次に、商品Ｐｂについての販売促進用情報を表示させたい場合、店舗側の使用者は例えばキーボード等の入力装置８８（図１参照）を用いて、商品Ｐｂを指定する。
【００４１】
制御装置４０は入力装置８８からの信号を受けたならば、液晶ディスプレイ２６に搭載されたＲＦＩＤタグ用リーダ６６からの信号を取り込み、液晶ディスプレイ２６の近傍（ＲＦＩＤタグ用リーダ６６の受信範囲内）に当該商品Ｐｂがあるか否かを判断する。
【００４２】
商品Ｐｂが液晶ディスプレイ２６の近傍にないと判断した場合には、制御装置４０は、親局送受信装置６８から各電動モータ３２，４６に係る子局送受信装置７６，７２に、液晶ディスプレイ２６を移動させる指令信号を送り、スライダ１８Ｃ，２４をレール１６Ａ，１６Ｂ，１６Ｃ，２２に沿って縦横に移動させ、陳列棚１４の前面で液晶ディスプレイ２６及びＲＦＩＤタグ用リーダ６６を走査させる。この際、充電式バッテリ３６，５２は充電器から切り離され、充電は終了することとなる。また、電動モータ３２，４６は充電式バッテリ３６，５２から電力供給を受けるため、電源コード等なくとも、陳列棚１４の前面を移動することができる。電源コードが不要であるため、陳列棚１４の美観が損なわれることはなく、また、レール１６Ａ，１６Ｂ，１６Ｃ，２２を延長しても、延長部分への移動も可能となる。このように、移動範囲に制限がなくなるため、無線ＬＡＮを利用する利益がより増大することとなる。
【００４３】
液晶ディスプレイ２６の走査の結果、ＲＦＩＤタグ用リーダ６６が所望の商品ＰｂのＲＦＩＤタグ６４の信号を受信し、その受信信号を制御装置４０に送信したならば、制御装置４０は液晶ディスプレイ２６が商品Ｐｂの近傍にあると認識し、停止指令信号を親局送受信装置６８から子局送受信装置７６，７２に送信し、液晶ディスプレイ２６をその位置で停止させる。この後、商品Ｐｂについての商品情報を液晶ディスプレイ２６に表示させる。この表示も充電式バッテリ５２からの電力により行われる。
【００４４】
このようにして基本位置から離れた位置に液晶ディスプレイ２６が移動し、その状態が維持された場合、充電式バッテリ３６，５２が消耗していくが、制御装置４０は、所定の時間（例えば、液晶ディスプレイ２６が停止指令信号を受けて停止した時間から商品Ｐｂについての商品情報を２回繰り返すまでの時間）が経過すると、液晶ディスプレイ２６を基本位置に戻す指令信号を、親局送受信装置６８から電動モータ３２，４６に係る子局送受信装置７６，７２に発信する。その結果、スライダ１８Ｃ、２４はレール１６Ａ，１６Ｂ，１６Ｃ，２２に沿って移動し、液晶ディスプレイ２６は基本位置に復帰する。これによって、充電が自動的に再開される。すなわち、人手による充電作業という手間は不要である。また、基本位置に復帰と同時に、液晶ディスプレイ２６の表示が、特定商品Ｐａについての情報に切り替わるため、店舗側の商品提供者が販売増加を望む特定商品Ｐａの宣伝を効率よく行うことができる。
【００４５】
なお、本実施形態では、液晶ディスプレイ２６はスライダ２４から取り外すことが可能となっている。従って、陳列棚１４から離れた場所で平積みされているような商品についても、その商品の近傍に液晶ディスプレイ２６を置き、その商品の情報を表示させることも可能である。これも、充電式バッテリ５２を用いたことによる効果である。
【００４６】
以上、本発明の好適な実施形態について詳細に説明したが、本発明は上記実施形態に限られず、種々変更可能である。
【００４７】
例えば、上記実施形態では充電式バッテリ５２を液晶ディスプレイ２６内に設けているが、スライダ２４内にバッテリ５２を配置してもよいし、また、液晶ディスプレイ２６とスライダ２４のそれぞれにバッテリを配置してもよい。
【００４８】
また、スライダ１８Ａ，１８Ｂ，１８Ｃの少なくとも一つとスライダ２４に駆動機構を組み込むと共に、スライダ１８Ａ，１８Ｂ，１８Ｃ，２４、液晶ディスプレイ２６の少なくとも一つに充電式バッテリを組み込む構成としてもよい。スライダ１８Ａ．２４に駆動機構等を設けた場合、図４に示すように、横レール１６Ａに充電出力端子７８を設けることが好適である。また、充電式バッテリはスライダ１８Ａ内にのみ設けることとし、液晶ディスプレイ２６及び縦レール２２に沿うスライダ２４内の駆動機構４２に対する電力は、支持ロッド２０Ａ及び縦レール２２等に設けた導電路を介して、スライダ１８Ａ内のバッテリ又は充電器から供給することとしてもよい。この場合、充電を行う位置は、スライダ１８Ａが充電出力端子７８上に配置された位置となるので、液晶ディスプレイ２６の基本位置は、その充電可能状態における縦レール２２の全領域となる。
【００４９】
また、液晶ディスプレイ２６の支持手段をレール１６Ａ，１６Ｂ、１６Ｃ、２２、支持ロッド２０Ａ，２０Ｂ，２０Ｃ、スライダ１８Ａ，１８Ｂ，１８Ｃ，２４を用いたものとしているが、他の型式の支持手段を用いることもできる。例えば、横レールと、そこに摺動可能に取り付けられたスライダと、このスライダに旋回可能に取り付けられた伸縮ないし屈曲可能なアームとから構成されたものが考えられる。
【００５０】
また、無線ＬＡＮを用いているが、有線であってもよい。液晶ディスプレイ２６内に制御装置及び情報記憶装置を内蔵させることも可能である。更に、液晶ディスプレイ２６に制御装置を内蔵し、そのＲＡＭに無線で各種情報をダウンロードして用いるようにすることもできる。
【００５１】
更に、識別子入力手段としては、ＲＦＩＤタグ用リーダ６６に限られず、商品に付されたバーコードを読み取るバーコードリーダ等、他の型式の入力手段を用いることもできる。
【００５２】
更にまた、本発明による物品陳列装置１０はスーパーマーケットのような小売り店舗に限られず、図書館における書籍類をの陳列、情報提供にも供することができる。
【図面の簡単な説明】
【００５３】
【図１】本発明による物品陳列装置の一実施形態を示す概略説明図である。
【図２】図１に示す物品陳列装置の一部を概略的に示す側断面図である。
【図３】図１に示す物品陳列装置の一部を概略的に示す正面図である。ー図である。
【図４】本発明による物品陳列装置の別の実施形態を示す概略説明図である。
【符号の説明】
【００５４】
１０…物品陳列装置、１４…陳列棚、１６Ａ，１６Ｂ，１６Ｃ…横レール、１８Ａ，１８Ｂ，１８Ｃ，２４…スライダ、２２…縦レール、２６…液晶ディスプレイ、２８，４２…駆動機構、３６，５２…充電式バッテリ、４０…制御装置、５６…情報記憶装置、６４…ＲＦＩＤタグ、６６…ＲＦＩＤタグ用リーダ、７８，８４…充電出力端子、８０，８６…充電入力端子。
【図１】
2006109995.tif 000003
【図２】
2006109995.tif 000004
【図３】
2006109995.tif 000005
【図４】
2006109995.tif 000006